(57)【要約】【課題】膨らまし過程で生ずる顔等の表情の変化や絵や写真等の情景の変化などの動きの一形体を捉え、その形の面白さを飾り物、或いは人形などと同様に自分のペットとしても遊べる風船玩具を提供する。【解決手段】本発明は、気体注入部２より注入した気体圧により形体を保持する風船部３と、該風船部を支承する台部４とを備えたことを特徴とし、例えば、風船部に人気キャラクターの顔を描き、台部にそのキャラクターの胴体の形状、模様を表現しておくことにより、風船部に描かれた顔の表情を胴体の形体にマッチさせる面白さや、顔を胴体に比して大きく誇張させたりする工夫の面白さなどを体験したり、体験後の状態を飾りもの或いはペットとして楽しむことができるように構成した。【選択図】  図１
2004329711.tif 000002
【特許請求の範囲】
【請求項１】
気体注入部より注入した気体圧により形体を保持する風船部と、該風船部を支承する台部とを備えたことを特徴とする風船玩具。
【請求項２】
前記風船部が、気体注入部に逆止弁を備えたものであることを特徴とする請求項１に記載の風船玩具。
【請求項３】
前記台部が、前記風船部の気体注入部に結合できる結合部を有する気体注入ポンプになっていることを特徴とする請求項１又は２に記載の風船玩具。
【発明の詳細な説明】
【０００１】
【発明の属する技術分野】
本発明は、気体（空気・ガスなど）を注入して膨らませた風船部を、台部にて飾ることのできる風船玩具に関するものである。
【０００２】
【従来の技術】
従来の風船玩具は、注入した気体圧により形体を保持する風船部と、該風船部の気体注入部を閉塞した状態で支承できるスティックとを備えたものが一般に知られていた。この風船玩具の風船部は気体注入により小から大に拡大変形するゴム風船であったり、扁平から立体に膨張変形するアルミを蒸着したプラスチックフィルム風船であったりするが、軽量にして持ち易く、安価である点に人気がある。特に、前者は膨らまし過程で表面に施された人気キャラクターなどの絵や写真が拡大する面白さがあり、後者は形の無いもの（扁平）から形が有るもの（立体）に変形する面白さがあった。
【０００３】
【発明が解決しようとする課題】
しかしながら、気体（息）を注入することにより拡大あるいは有形化する面白さがあると言っても、上記風船玩具はスティックを手に握って持ち歩くだけのものにすぎず、遊び方が限られているという問題があった。
【０００４】
本発明は、上記の問題を解消するためのもので、その目的とするところは、膨らまし過程で生ずる顔等の表情の変化や絵や写真等の情景の変化などの動きの一形体を捉え、その形の面白さを飾り物として、或いは人形などと同様に自分のペットとしても遊べる風船玩具を提供することにある。
【０００５】
【課題を解決するための手段】
上記目的を達成するため、本発明は、気体注入部より注入した気体圧により形体を保持する風船部と、該風船部を支承する台部とを備えたことを特徴とし、例えば、風船部に人気キャラクターの顔を描き、台部にそのキャラクターの胴体の形状、模様を表現しておくことにより、風船部に描かれた顔の表情を胴体の形体にマッチさせる面白さや、顔を胴体に比して大きく誇張させたりする工夫の面白さなどを体験したり、体験後の状態を飾りもの或いはペットとして楽しむことができるように構成した。
【０００６】
また、請求項２に記載の発明は、前記風船部が、その気体注入部に逆止弁付き気体流導管を結合したものであることを特徴とし、気体の注入によって変化する風船部の変化の一瞬を確実に捉え、その瞬間の表情をそのまま固定できるように構成した。
【０００７】
さらに、請求項３に記載の発明は、前記台部が、前記風船部の気体注入部に結合できる結合部を有する気体注入ポンプになっていることを特徴とし、気体注入ポンプを特別に用意する必要がないように構成した。
【０００８】
【発明の実施の形態】
次に、本発明の実施の形態を添付図面に基づいて説明する。図１は本願風船玩具の分解斜視図、図２は本願風船玩具の一つの使用状態を示す斜視図、図３は本願風船玩具の胴体を気体注入ポンプとした場合の断面図、図４（ａ）、（ｂ）は風船部が台部から飛び出すようにした断面図である。
【０００９】
本願風船玩具１は、気体注入部２を有する風船部３と、該風船部３を支承する台部４とを備える。風船部３は予め人気の漫画のキャラクターの顔（本図では、単に眉、目、鼻、口を単純に表わしているに過ぎない）Ａを模して表し（印刷）ている。また、前記台部４は前記キャラクターの胴体Ｂを模した意匠に構成している。勿論、風船部３は動物、植物、その他架空のものでもよく、台部４は動物の家、植物を植えた鉢などでも良い。
【００１０】
前記風船部３は、伸び縮みする材料、例えば、天然ゴムや合成ゴムを利用して形成したものでも、伸び縮みしない材料、例えば、片面にアルミを蒸着したプラスチックフィルムにて形成したものでもよい。前者は気体注入により小から大に拡大変形するゴム風船を、後者は扁平から立体に膨張変形するアルミを蒸着フィルム風船を意図しているが、他の材料によるものでも風船になるものであれば自由に決定できる。なお、本図の例では風船部３としてゴム製の風船の場合を示している。
【００１１】
前記風船部３の気体注入部２は、風船部３の口部に素材の弾力性を利用して管状部材５を挿入してなる。該管状部材５は外周にはリブを備え、いったん挿入した風船部３の口部は容易に抜けないようにしている。管状部材５が挿入された気体注入部２には先細筒６をテーパ結合している。この先細筒６の基端は前記風船部３内にのみ気体を通過させる（逆方向には通過さない）逆止弁７ａを内蔵した雌ねじ筒７を一体に備えている。該雌ねじ筒７は気体注入ポンプ８の一端側に設けた雄ねじ管８ａと螺合できるものである。
【００１２】
前記気体注入ポンプ８は、他端側にも雄ねじ管８ｂを有している。この他端側の雄ねじ管８ｂには、ポンプ８内にのみ気体を通過させる（逆方向には通過させない）逆止弁９ａを内蔵した雌ねじキャップ９が螺着している。従って、気体注入ポンプ８は、これを手のひらで握って強く潰すときは、ポンプ８内の気体は雌ねじキャップ９の逆止弁９ａが閉じた状態で、逆止弁７ａを通過して風船部３内へ注入される。逆に、握っていた手のひらの握力を緩めると、雌ねじキャップ９の逆止弁９ａが開いて外気をポンプ内へ取り入れる。即ち、当該ポンプ８を握ったり緩めたりすることにより、風船部３内には気体が連続して注入され、拡大変形することとなる。
【００１３】
なお、前記風船部３の気体注入部２に逆止弁７ａを用いたのは、風船部３の拡大に伴って表面に描かれた顔の表情の変化の具合が最も好ましいところでポンプ８の操作を中止すると、その中止した時点での顔の一瞬の表情が捉えられるようにするためである。勿論、風船部３の気体注入部２には逆止弁７ａがなくても、クリップで締め付けたりゴム紐などで縛って気体が抜けないようにすることは可能であるが、クリップ締めやゴム紐での縛りでは逆止弁７ａを用いたときと異なって風船部３内に注入した気体を若干逃がすこともあり、顔の一瞬の表情が捉え難いことは否めない。
【００１４】
前記台部４は、プラスチック成型品（場合によっては陶磁器製や木製その他であってもよい）からなり、その上面には前記風船部３を支承するための開口４ａが設けられている。しかして、該風船部３に気体を注入するときは、台部４の開口４ａより風船部３の気体注入部２にテーパ結合させた先細筒６の基端の雌ねじ筒７を挿入し、該雌ねじ筒７を、台部４の底面に設けた穴４ｂより挿入した気体注入ポンプ８の雄ねじ管８ａに螺合させる。しかる後、ポンプ８を前述の如く操作すれば、キャラクターの顔Ａを描いた風船部３は、図２の如く、拡大変形しつつ顔の表情を変える。そして、胴体Ｂの大きさとの関係でもっともマッチしたところでポンプ操作を中止し、雌ねじ筒７からポンプ８を雄ねじ管８ｂを螺脱すれば、所望の風船玩具が完成することとなる。
【００１５】
また、前記台部４を、ある程度の腰を持つ柔軟素材（プラスチック或いはゴム等）により構成するとともに、図３の如く、上部に首状の突起を設けた気体注入ポンプとすることもある。台部４をポンプにするには、その適所（本図では底部）に外から内へは気体を通すが、内から外へは気体を通さない逆止弁１１を設けることは言うまでもない。しかして、今、前記首状の突起に、前記風船部３の口部をその素材の弾力性を利用して挿入した後、台部４をポンプとして前述した如く操作すると、特別に気体注入ポンプを用意することなく、気体の注入が可能となる利点がある。
【００１６】
また、台部４と風船部３とを、例えば、図４（ａ）、（ｂ）の如く構成しておくことにより、台部４のポンプ操作で、台部（胴体）４内に隠れていた頭部が一点鎖線の如くいきなり飛び出したり、台部（鉢）４に顔を覗かせていた草や土筆の芽が一点鎖線の如く成長するなどの遊びを楽しむこともできるように工夫することも可能である。
【００１７】
【発明の効果】
以上の如く、本発明は、気体注入部より注入した気体圧により形体を保持する風船部と、該風船部を支承する台部とを備えたことを特徴としているから、風船部の膨らまし過程で生ずる顔等の表情の変化や絵や写真等の情景の変化などの動きの一形体を捉えることを体験したり、体験後の形の面白さを飾り物として、或いは人形などと同様に自己のペットとして遊ぶことができるなど、各種の優れた効果を奏するものである。
【００１８】
また、請求項２に記載の発明は、前記風船部が、その気体注入部に逆止弁付き気体流導管を結合したものであることを特徴としているから、気体の注入によって変化する風船部の変化の一瞬を確実に捉え、その瞬間の表情をそのまま固定できるという優れた効果を奏するものである。
【００１９】
さらに、請求項３に記載の発明は、前記台部が、風船部の気体注入部に結合できる結合部を有する気体注入ポンプになっていることを特徴としているから、気体注入ポンプを特別に用意する必要がなく、便利であるという優れた効果を奏するものである。
【図面の簡単な説明】
【図１】本願風船玩具の分解斜視図である。
【図２】本願風船玩具の一つの使用状態を示す斜視図である。
【図３】本願風船玩具の胴体を気体注入ポンプとした場合の断面図である。
【図４】風船部が台部から飛び出すようにした断面図で、（ａ）は胴体に対して頭部がでるもの、（ｂ）は鉢から芽が成長するものである。
【符号の説明】
１  本願風船玩具
２  気体注入部
３  風船部
４  台部
４ａ  開口
５  管状部材
６  先細筒
７  雌ねじ筒
７ａ  逆止弁
８  気体注入ポンプ
８ａ、８ｂ  雄ねじ管
９  雌ねじキャップ
９ａ  逆止弁
１１  逆止弁
Ａ  人気漫画のキャラクターの顔
Ｂ  人気漫画のキャラクターの胴体
【図１】
2004329711.tif 000003
【図２】
2004329711.tif 000004
【図３】
2004329711.tif 000005
【図４】
2004329711.tif 000006